【事件の表示】
　特許第３３６５４５６号「電子写真感光体、該電子写真感光体を備えた電子写真装置及び装置ユニット」の請求項１ないし７に係る特許に対する特許異議の申立てについて、次のとおり決定する。
【結　論】
　訂正を認める。
　特許第３３６５４５６号の請求項１ないし５に係る特許を取り消す。
【理　由】
１．手続の経緯
　本件特許第３３６５４５６号の請求項１ないし７に係る発明は、平成６年１２月１日に出願され、平成１４年１１月１日にその発明についての特許の設定登録がされた。
　本件特許公報が、平成１５年１月１４日に発行されたところ、本件の請求項１ないし７に係る特許に対して、平成１５年７月１４日付けで、吉田春男より特許異議の申立があり、取消理由通知がなされ、その指定期間内の平成１６年７月２日付けで訂正請求がなされ、これに対し特許異議申立人より回答書が提出されたものである。
　
２．訂正の適否に対する判断
２−１　訂正事項
　訂正を請求する事項は、次のとおりである。
　訂正事項ａ：特許請求の範囲の記載を次のように訂正する。
（ａ−１）【請求項１】の記載を、
「【請求項１】　導電性支持体上に感光層を有する電子写真感光体において、該感光層の表面層に潤滑剤を含有し、かつ、下記構造式（１）で示される化合物及び下記構造式（２）で示される化合物を含有し、該潤滑剤がフッ素系樹脂粉体であることを特徴とする電子写真感光体。
構造式（１）　
【化１】　　
構造式（２）
【化２】　　
」と訂正する。
（ａ−２）【請求項２】、【請求項４】を削除する。
（ａ−３）【請求項３】を【請求項２】に繰り上げ、「請求項１または２に記載の」を、「請求項１に記載の」と訂正する。
（ａ−４）【請求項５】を【請求項３】に繰り上げ、「請求項１〜４のいずれかに記載の」を、「請求項１または２に記載の」と訂正する。
（ａ−５）【請求項６】、【請求項７】を【請求項４】、【請求項５】に繰り上げ、「請求項１〜５のいずれかに記載の」を、「請求項１〜３のいずれかに記載の」と訂正する。
　訂正事項ｂ：明細書の段落番号【０００６】の記載を、
「【０００６】　【課題を解決するための手段】
　本発明は、導電性支持体上に感光層を有する電子写真感光体において、該感光層の表面層に潤滑剤を含有し、かつ、下記構造式（１）で示される化合物及び下記機造式（２）で示される化合物を含有することを特徴とする電子写真感光体から構成される。
構造式（１）
【化３】
構造式（２）
【化４】
」と訂正する。
　訂正事項ｃ：明細書の段落番号【０００７】、【００１１】、【００３８】、【００４２】、【００４６】〜【００５２】の記載を削除し、それに伴い以降の段落番号を繰り上げる。
　訂正事項ｄ：明細書の段落番号【０００８】の記載を、
「【０００７】　本発明の電子写真感光体は、潤滑剤と前記構造式（１）で示される化合物及び構造式（２）で示される化合物を併用することによって、感光体表面に潤滑性を付与させて、クリーニング工程における摩耗やひっかき傷等の機械的損傷を防ぎ、離型性、撥水性を発現させる。そして、これ等の材料を併用することにより、潤滑性及び化学的耐久性が向上し、従来の削れ量よりも少なく、フィルミング、融着が起こらない程度に適度に削れ、かつ、滑るといった適度なバランスを保った電子写真感光体と該電子写真感光体表面を形成することができ、これにより、地カブリ、画像ボケのない高品位な画像を得ることができた。」と訂正する。
　訂正事項ｅ：同段落番号【０００９】の記載を、
「【０００８】　本発明において用いる潤滑剤は、フッ素系樹脂粉体である。」と訂正する。
　訂正事項ｆ：段落番号【００３３】の「【００３３】　次に、下記のジスアゾ顔料　【化７】」の記載を、
「【００３１】　次に、下記のジスアゾ顔料　【化５】」と訂正する。
　訂正事項ｇ：同段落番号【００３４】の「【００３４】　次に、ポリカーボネート（重量平均分子量５５，０００、帝人化成（株）製）２０部と下記構造式の電荷輸送物質【化８】」の記載を、
「【００３２】　次に、ポリカーボネート（重量平均分子量５５，０００、帝人化成（株）製）２０部と下記構造式の電荷輸送物質【化６】」と訂正する。
　訂正事項ｈ：同段落番号【００３９】の記載を、
「【００３６】　比較例２、実施例１
　電荷輸送物質と潤滑剤を表１に記載するように組み合わせた他は、比較例１と同様にして対応する電子写真感光体を作成し、比較感光体２、感光体１とし、同様に画像評価、耐久性評価を行った。結果を表２に示す。」と訂正する。
　訂正事項ｉ：同段落番号【００４０】の記載を、
「【００３７】
　【表１】
と訂正する。
　訂正事項ｊ：同段落番号【００４１】の記載を、
「【００３８】
　【表２】
　　　　　　　　　　　　　　　　　　　　　　　　　　　　　　」
と訂正する。
　訂正事項ｋ：同段落番号【００４３】の記載を、
「【００３９】　比較例３」と訂正する。
　訂正事項ｌ：同段落番号【００４４】の記載を、
「【００４０】　実施例１においてポリ四フッ化エチレン粉体を用いない他は、実施例１と同様にして電子写真感光体を作成し、比較感光体３とする。」と訂正する。
　訂正事項ｍ：同段落番号【００４５】の記載を、
「【００４１】　比較感光体３を前記改造した複写機に装着し、高温高湿（３２．５℃、９０％ＲＨ）中にて耐久を行ったところ、この感光層には離型性がないため表面に付着した紙粉等が取れにくく、１万枚程度で画像流れが発生した。」と訂正する。
　訂正事項ｎ：同段落番号【００５３】の記載を、
「【００４２】　【発明の効果】
　本発明の電子写真感光体は、感光体の表面層にフッ素系樹脂粉体と特定の電荷輸送物質を添加することによって、表面の摩耗や傷等による機械的耐久性向上とクリーニング性良好でトナ−付着のない、また、画像ボケ、地カブリのない高品位の画像を継続的に形成し得るという顕著な効果を奏する。」と訂正する。
　
２−２　新規事項の有無、訂正の目的の適否及び拡張・変更の存否
　訂正事項ａ−１は、請求項１に規定されていた一般式（１）及び（２）で示される化合物を、訂正前の請求項４に記載されていた構造式（１）及び（２）で示される化合物のみに特定し、同じく潤滑剤を、訂正前の請求項２に記載されていたフッ素系樹脂粉体のみに特定するとともに、請求項２、４を削除し、それに合わせて請求項番号を繰り上げ訂正するものであるから、特許請求の範囲の減縮を目的とする明細書の訂正に該当する。
　また、訂正事項ｂ、ｃ〜ｎは、訂正事項ａによる特許請求の範囲の減縮に伴ない、特許請求の範囲と発明の詳細な説明との間に生じた不一致部分を整合させるものであるから、明りょうでない記載の釈明を目的とする明細書の訂正に該当し、訂正事項ｄは、同じく特許請求の範囲と発明の詳細な説明との間に生じた不一致部分を整合させるとともに、誤字を訂正するものであるから明りょうでない記載の釈明及び誤記の訂正を目的とする明細書の訂正に該当する。
　そして、訂正事項ａ〜ｎは何れも、願書に添付した明細書又は図面に記載された事項の範囲内の訂正であって、また、実質上特許請求の範囲を拡張し又は変更するものでもない。
　
２−３　訂正の適否の結論
　以上のとおりであるから、上記訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．本件発明
　前項に記載したとおり、本件訂正は認められるから、本件特許に係る発明は、平成１６年７月２日付訂正請求書に添付した全文訂正明細書の特許請求の範囲の請求項１ないし５に記載された次のとおりのものと認める
「【請求項１】　導電性支持体上に感光層を有する電子写真感光体において、該感光層の表面層に潤滑剤を含有し、かつ、下記構造式（１）で示される化合物及び下記構造式（２）で示される化合物を含有し、該潤滑剤がフッ素系樹脂粉体であることを特徴とする電子写真感光体。
構造式（１）
【化１】　　
構造式（２）
【化２】　　
【請求項２】　前記潤滑剤の含有率が、潤滑剤が含まれている感光層の重量分率で１〜５０重量％である請求項１に記載の電子写真感光体。
【請求項３】　前記感光層が電荷発生層と電荷輸送層の積層構造を有する請求項１または２に記載の電子写真感光体。
【請求項４】　請求項１〜３のいずれかに記載の電子写真感光体を備えたことを特徴とする電子写真装置。
【請求項５】　請求項１〜３のいずれかに記載の電子写真感光体、及び、帯電手段、現像手段及びクリーニング手段からなる群より選ばれる少なくとも１つを一体に結合して構成し、電子写真装置本体に対して着脱自在であることを特徴とする装置ユニット。」
（以下、「本件発明１」ないし「本件発明５」という。）
　
４．取消理由の概要
　訂正前の請求項１ないし７に係る発明に対して、平成１６年４月２２日付けで通知した取消理由の概要は、本件請求項１ないし７に係る発明は、その出願前日本国内において頒布された下記の刊行物に記載された発明に基づいて、その出願前にその発明の属する技術の分野における通常の知識を有する者が容易に発明をすることができたものであるから、特許法第２９条第２項の規定により特許を受けることができないものであるというものであるものである。
　　　　　　　　　　　　　　　　記
　刊行物１：特開平５−３０７２７７号公報（異議申立人吉田春男が提出した甲第１号証）
　刊行物２：特開平６−８３０９５号公報（同じく甲第２号証）
　刊行物３：特開昭６３−２２３７５５号公報（同じく甲第３号証）
　刊行物４：特開平４−３０１７１号公報（同じく甲第４号証）
　刊行物５：特開平３−１５７６６６号公報（同じく甲第５号証）
　刊行物６：特開平５−１５０４６０号公報（同じく甲第６号証）
　刊行物７：特開平６−５１５４９号公報（同じく甲第７号証）
　刊行物８：特開平４−４６３４８号公報（同じく甲第８号証）
　刊行物９：特開平３−１２９３５６号公報（同じく甲第９号証）
　刊行物１０：特開平３−１９７９５３号公報（同じく甲第１０号証）
　刊行物１１：特開昭６３−５８３５２号公報（同じく甲第１１号証）
　刊行物１２：特開昭６３−３０８５０号公報（同じく甲第１５号証）
　刊行物１３：特開平５−２１６２５１号公報　　　　　　　　　　　
　
５．当審の判断
５−１　各刊行物に記載された事項
　刊行物１には、
（１ａ）「感光体表面に形成された静電潜像を感光体と該感光体に対向配置された現像電極との間の電場内で、帯電された合成トナーの静電気力により可視像化する電子写真現像方法において、表面層にフッ素化合物及び／又はフッ素含有樹脂を含有する有機感光体を用いることを特徴とする電子写真現像方法。」（請求項１）、
（１ｂ）「本発明において表面層とは、フッ素化合物及び／又はフッ素含有樹脂を含有する層であって、感光体の表面に設けられた層をいう。従って、単層型感光体の場合は感光層が表面層であり、又、積層型感光体の場合には電荷発生層若しくは電荷輸送層のうち、いずれか表面に設けられた層が表面層であり、それがフッ素化合物及び／又はフッ素含有樹脂を含有している。」（【０００８】）、
（１ｃ）「これらフッ素化合物及び／又はフッ素含有樹脂の添加量は、表面層に対して０．０５〜１０重量％であり、好ましくは０．１〜８重量％である。」（【００１１】）、
（１ｄ）実施例１には、電荷発生層と電荷輸送層の積層構造を有し、表面層である電荷輸送層に、ブタジエン系電荷輸送材“Ｔ−４０５”（アナン（株）製）と共にエポキシ変性フルオロアルキル化合物“Ｏ−１１０”（ダイキン工業（株）製）を含有する電子写真感光体を形成したこと、実施例２には、同じく積層構造を有し、表面層である電荷輸送層に、“Ｔ−４０５”と共にフッ素化ポリカーボネート“ＰＣ−ＡＦ”（帝人化成（株）製）を含有する電子写真感光体を形成したこと、実施例３には、同じく積層構造を有し、表面層である電荷輸送層に、ヒドラゾン系電荷輸送材“ＣＴＣ−１９１”（アナン（株）製）と共にフッ素化アルキルアクリレート共重合体“モディパーＦ１００”（日本油脂（株）製）を含有する電子写真感光体を形成したこと、実施例４には、同じく積層構造を有し、表面層である電荷輸送層に、“ＣＴＣ−１９１”と共にフッ素化ビニル共重合体“ＧＦ−１５０”（東亜合成化学工業（株）製）を含有する電子写真感光体を形成したこと（【００５６】〜【００６７】）、
（１ｅ）「【発明の効果】　本発明では、合成トナーを用いた電子写真現像方法において、従来の有機感光体を用いた現像方法とは異なり、有機感光体の表面層にフッ素化合物及び／又はフッ素含有樹脂を含有させることにより、有機感光体の表面摩擦抵抗を低減させ摺動性を向上させることができる。」（【００６８】）、
が記載されている。
　
　刊行物２には、
（２ａ）「感光体を帯電させる帯電工程と、該感光体を露光する露光工程と、該感光体上に形成された静電潜像にトナーを付着させてトナー像を形成す
る現像工程と、感光体上に形成された該トナー像を記録紙等の記録媒体に同時に転写、定着する工程とからなる画像形成方法において、前記トナーがカプセルトナーであり、前記感光体が表面感光層にフッ素化合物及び／又はフッ素含有樹脂を含むフィルムベルト状耐熱型有機感光体であることを特徴とする画像形成方法。」（請求項１）、
（２ｂ）実施例１には、シームレスニッケルベルトからなる支持体上に電荷発生層と電荷輸送層の積層構造を有し、表面層である電荷輸送層に、ブタジエン系電荷輸送材“Ｔ−４０５”（アナン（株）製）と共にエポキシ変性フルオロアルキル化合物“Ｏ−１１０”（ダイキン工業（株）製）を含有する電子写真感光体を形成したこと、実施例２には、同じく積層構造を有し、表面層である電荷輸送層に、“Ｔ−４０５”と共にフッ素化ポリカーボネート“ＰＣ?ＡＦ”（帝人化成（株）製）を含有する電子写真感光体を形成したこと、実施例３には、同じく積層構造を有し、表面層である電荷輸送層に、ヒドラゾン系電荷輸送材“ＣＴＣ−１９１”（アナン（株）製）と共にフッ素化アルキルアクリレート共重合体“モディパーＦ１００”（日本油脂（株）製）を含有する電子写真感光体を形成したこと、実施例４には、同じく積層構造を有し、表面層である電荷輸送層に、“ＣＴＣ−１９１”と共にフッ素化ビニル共重合体“ＧＦ−１５０”（東亜合成化学工業（株）製）を含有する電子写真感光体を形成したこと（【００５６】〜【００６７】）、実施例１，２において、電荷発生層と電荷輸送層の積層構造を積層し、表面層である電荷輸送層に、フッ素含有樹脂と共にブタジエン系電荷輸送材“Ｔ−４０５”（アナン（株）製）を含有する電子写真感光体が、実施例３において、同じく、ヒドラゾン系電荷輸送材“ＣＴＣ−１９１”（アナン（株）製）を含有するフィルムベルト状電子写真感光体が（【００８１６】〜【００８４】）、
（２ｃ）「フッ素化合物及び／又はフッ素含有樹脂を含有したフィルムベルト状耐熱型有機感光体を用いることにより、トナーと感光体との離型性が著しく向上したため、転写効率が非常に良くなり回収トナーの保存スペースが不要になると共に耐久性が向上した。」（【００９２】）、
が記載がされている。
　
　刊行物３には、
（３ａ）「（１）一般式（省略）で表わされるブタジエン化合物と、一般式（省略）で表されるヒドラゾン化合物とを含有する感光層を備えた電子写真感光体。
（２）ブタジエン化合物が、１，１−ビス（ｐ−ジエチルアミノフエニル）−４，４ジフエニル−１，３−ブタジエンである特許請求の範囲第１項記載の電子写真感光体。
（３）ヒドラゾン化合物が、・・・・、ｏ−メチル−ｐ−ジベンジルアミノベンズアルデヒド−（ジフエニルヒドラゾン）・・・・からなる群より選ばれるヒドラゾン化合物である特許請求の範囲第１項記載の電子写真感光体。」（５頁訂正明細書の特許請求の範囲）、
（３ｂ）実施例２には、電荷発生層と電荷移動層の積層構造を有し、表面層である電荷移動層に、ブタジエン化合物（２）［１，１−ビス（ｐ−ジエチルアミノフェニル）−４，４−ジフェニル−１，３−ブタジエン］と、ヒドラゾン化合物（９）［ｏ−メチル−ｐ−ジベンジルアミノベンズアルデヒド−（ジフェニルヒドラゾン）］とを含有する電子写真感光体を形成したこと（９頁左上欄２０行〜右上欄５行）、比較例１には、電荷移動層にブタジエン化合物（２）を単独で含有させた電子写真感光体を形成したこと、比較例３には電荷移動層にヒドラゾン化合物（９）を単独で含有させた電子写真感光体を形成したこと（９頁右上欄１１〜１９行、左下欄４〜７行）、
（３ｃ）表１には、実施例及び比較例の感光体の電子写真用の諸特性が示され、「上記表１より明確なように比較例１では繰り返し使用による暗減衰率の落ち込みが大きくなる欠点がある。又比較例２〜３では暗減衰率の変動は空くまいが、繰り返し使用による残留電位の上昇が大きくなる。このことはブタジエン化合物、又はヒドラゾン化合物を夫々単独で使用した場合には感光体としては実用に適さないことを示している。一方本発明によれば両者を混合して使用することにより暗減衰率の変動が少なく又、繰返し使用による表面電位の落ち込みも少く残留電位の上昇がない等電子写真感光体として極めて好適な特性を示す。・・・・本発明の感光ドラムを半導体レーザプリンタに適用し、１万枚（Ａ４版）のライフテストを実施した所、黒字の濃度変化がなく、良好な結果を得た。更に低温１０℃、高温高湿４５℃及び８５％の雰囲気で使用したが濃度変化がなく、又カブリの発生のない非常に優れた特性を示し、実用に供して有効であることが確認できた。」（４頁右上欄１５行〜左下欄１５行）
が記載されている。
　
　刊行物４には、
（４ａ）「３．導電性支持体上に電荷発生層と電荷輸送層とを積層してなる電子写真感光体において、電荷輸送層につぎの一般式（Ｉ）（省略）で表わされるヒドラゾン化合物、次の一般式（II）（省略）で表わされる１，１，４，４−テトラフェニルブタジエン化合物及びポリ−Ｎ−ビニルカルバゾールを含有することを特徴とする電子写真感光体。」（特許請求の範囲第３項）、
（４ｂ）本件発明１の構造式（１）の化合物に該当するブタジエン化合物が、第４頁右下欄に例示化合物（II）として記載され、本件発明１の構造式（２）の化合物に該当するヒドラゾン化合物が、第４頁左上欄に例示化合物（Ｉ）として記載され、
（４ｃ）実施例１には、、電荷発生層と電荷輸送層の積層構造を有し、表面層である電荷輸送層に例示化合物（Ｉ）を含有する電子写真感光体を作成したこと、その性能が表１に示され、照度５ルックスの光を１０秒間照射した後の表面残留電位Ｖａは−３５ボルトであったこと、実施例１２、実施例１３及び実施例１４には、電荷発生層と電荷輸送層の積層構造を有し、表面層である電荷輸送層に例示化合物（Ｉ）と例示化合物（II）とを含有する電子写真感光体を作成したこと、その性能が表５に示され、表面残留電位Ｖａはそれぞれ−５、−１０、−２ボルトであったこと（９頁左下欄５〜１９行、表５、１０頁右上欄１〜５行）、
が記載されている。
　
　刊行物５には、
（５ａ）「（１）電荷発生材料と電荷移動材料を含む電子写真感光体であって、
（ａ）電荷発生材料が・・・・・フタロシアニン結晶を有効成分とし、
（ｂ）電荷移動材料が、一般式〔Ｉ〕で表されるヒドラゾン化合物（式省略）、及び、一般式〔II〕で表される（式省略）ブタジエン化合物を有効成分とすることを特徴とする電子写真感光体。
（２）前記ヒドラゾン化合物は、・・・・、ｏ−メチル−ｐ−ジベンジルアミノベンズアルデヒド−（ジフェニルヒドラゾン）、・・・・からなる群より選ばれるヒドラゾン化合物であることを特徴とする請求項第（１）項に記載の電子写真感光体。
（３）前記ブタジエン化合物は、１，１−ビス（ｐ−ジエチルアミノフェニル）−４，４−ジフェニル−１，３−ブタジエンであることを特徴とする請求項第（１）項に記載の電子写真感光体。」（特許請求の範囲）、
（５ｂ）実施例１には、電荷発生層と電荷移動層の積層構造を有し、表面層である電荷移動層に、ｏ−メチル−ｐ−ジベンジルアミノベンズアルデヒド−（ジフェニルヒドラゾン）と、１，１−ビス（Ｐ−ジエチルアミノフェニル）−４，４−ジフェニル−１，３−ブタジエンとを含有する電子写真感光体を形成したこと（９頁左上欄２行〜左下欄６行）、比較例２には、電荷移動層にヒドラゾン化合物を単独で含有させた感光体を形成したこと、比較例３には、電荷移動層にブタジエン化合物を単独で含有させた感光体を形成したこと（１０頁左上欄１〜７行）、
（５ｃ）表１には、実施例及び比較例の電子写真感光体の諸特性を評価した結果が示され、「表１より明確なように、ヒドラゾン化合物又はブタジエン化合物を単独で使用した場合・・・繰り返し使用による暗減衰率（ＤＤＲ２）の変動が大きく、また表面電位（Ｖ０２）の低下も大きく、さらに残留電位（ＶＲ２）の上昇が大きくなる等の欠点が現れ感光体には適さないことを示している。本発明のヒドラゾン化合物とブタジエン化合物の２成分を組合せ使用することにより、繰り返し使用しても暗減衰率、表面電位等の変動が少ない安定な電子写真感光体が得られる。」（表１、１０頁右上欄１〜１９行）、
が記載されている。
　
　刊行物６には、
（６ａ）実施例の感光体として、アルミニウムパイプ上に下引き層、電荷発生層、電荷輸送層の３層からなる感光層を形成すること、電荷輸送層は、電荷輸送材料として１，１−ビス（ｐ−ジエチルアミノフェニル）−４，４−ジフェニル−１，３−ブタジエン（Ｔ４０５：アナン社製）７重量部、４−ジベンジルアミノ−２−メチルベンズアルデヒド−１，１−ジフェニルヒドラゾン（ＣＴＣ−１９１：アナン社製）３重量部の２種をポリカーボネートＺ（ＴＳ２０２０：帝人化成製）１０重量部、１，１，２トリクロルエタン８０重量部からなるビヒクルに溶解した塗工液を調製し、さらに、これを１，１，２−トリクロルエタンで希釈し塗布することにより形成したこと（【００２８】〜【００３２】）、
が記載されている。
　
　刊行物７には、
（７ａ）実施例３に、電荷発生層の上に１，１−ビス（ｐ−ジエチルアミノフェニル）−４，４−ジフェニルブタジエン１ｇと、４−ジベンジルアミノ−２−メチルベンズアルデヒド−Ｎ，Ｎ−ジフェニルヒドラゾン（亜南香料（株）製、商品名ＣＴＣ−１９１）１ｇと、ポリカーボネート樹脂（バイエル社製、商品名マクロホール）ｌ０ｇ、およびジクロロメタン１００ｇよりなる塗液を、乾燥後の膜厚が２０μｍとなるように塗布し、積層型の感光層を有する電子写真感光体を得たこと（【００２２】〜【００２３】）、
が記載されている。
　
　刊行物８には、
（８ａ）実施例６および実施例６を引用する実施例７〜１０、比較例８〜１０として、表面層である電荷輸送層に、化学式［Ｂ］で表されるブタジエン化合物と化学式［Ｅ］で表されるヒドラゾン化合物とを含有し、電荷発生層と電荷輸送層の積層構造を有する電子写真感光体（７頁左下欄２行〜右下欄１９行）が記載されており、化学式［Ｂ］で表されるブタジエン化合物は、本件発明１の構造式（１）で示される化合物に、化学式［Ｅ］で表されるヒドラゾン化合物は、本件発明１の構造式（２）で示される化合物に該当する。
　
　刊行物９には、
（９ａ）比較例１として、表面層である電荷輸送層に、第１の電荷輸送物質として、本件発明１の構造式（１）で示される化合物に該当するビスチリル化合物を含有し、電荷発生層と電荷輸送層の積層構造を有する電子写真感光体を作製したところ、４５００枚の画像複写を行った時点で画像欠陥の発生が認められ、電荷輸送層の摩耗量は、画像複写４５００枚当りの５．０μｍであったこと（５頁左下欄１３行〜右下欄４行）
（９ｂ）比較例３として、表面層である電荷輸送層に、第１の電荷輸送物質として、本件発明１の構造式（１）で示される化合物に該当するビスチリル化合物と、第２の電荷輸送物質として、本件発明１の構造式（２）で示される化合物に該当するヒドラゾン化合物とを含有し、電荷発生層と電荷輸送層の積層構造を有する電子写真感光体を作製したところ、１００００枚の画像複写を行った後も画像品質の低下がなく、画像複写１００００枚当りの電荷輸送層の摩耗量は８．４μｍであったこと（５頁右下欄２０行〜６頁左上欄１９行）、
が記載されている。
　
　刊行物１０には、
（１０ａ）「（１）デジタル露光方式の電子写真装置において、露光部のスポット径が８０μｍ以下であり、用いられる有機感光体が数平均粒径０．１μｍ以上１０μｍ以下の範囲にある滑剤を該感光層中に５〜４０重量％含有するものであることを特徴とする電子写真装置。・・・
（３）該滑剤がポリエチレン、ポリプロピレン、ポリテトラフルオロエチレン及びポリフルオロエチレンから選ばれる樹脂からなる微粒子であることを特徴とする請求項１に記載の電子写真装置。・・・」（特許請求の範囲）、
（１０ｂ）「本発明における有機感光体の表面層は平均粒径０．１〜１０μｍの滑剤を含有しているので、感光体表面の機械的耐久性が十分となり、摺擦による表面の摩耗やキズの発生・・・を抑えることができる。」（３頁右上欄４〜８行）、
（１０ｃ）「バインダー樹脂を含有する有機感光体中に有機樹脂である滑剤を添加すると、感光体表面の表面張力を低下させることによって、この感光体を用いた際の画質を高品質に保持できる。」（３頁右下欄１８行〜４頁左上欄１行）
（１０ｄ）実施例１には、アルミニウムシリンダー上に下引層、電荷発生層、電荷輸送層を積層する感光体において、電荷輸送層に、ポリテトラフルオロエチレン粉体を含有させること、この感光体は高温高湿中での１００００まで画像流れのない高品位で安定な画像が得られたこと（６頁左上欄１行〜左下欄１１行）、
が記載されている。
　
　刊行物１１には、
（１１ａ）「１）少なくとも感光層の表面に潤滑剤および下記一般式〔Ｉ〕で示されるヒドラゾン系化合物を含有することを特徴とする電子写真感光体。（式省略）
２）前記潤滑剤がフッ素系樹脂粉体である特許請求の範囲第１項記載の電子写真感光体。・・・
６）前記感光層が電荷発生層と電荷輸送層の積層構造を有する特許請求の範囲第１項記載の電子写真感光体。・・・
８）潤滑剤を含有する感光層において、前記潤滑剤の含有率が１〜５０重量％である特許請求の範囲第１項記載の電子写真感光体。」（特許請求の範囲）、
（１１ｂ）「本発明の目的は摺擦による表面の摩耗やひっかき傷の発生などに対して耐久性を有し、画像ボケのない高品位の画像が得られる高耐久性を有する電子写真感光体を提供することにある。」（２頁右上欄１９行〜左下欄３行）、
（１１ｃ）実施例１〜９には、アルミニウムシリンダ上に下引き層、電荷発生層、電荷輸送層を積層する感光体において、電荷輸送層に、フッ素系樹脂粉体であるポリ四フッ化エチレン粉体（実施例１〜６、９）、ポリフッ化ビニリデン粉末（実施例７、８）を含有させたこと、これらの電子写真感光体をキヤノン製複写機ＮＰ−３５２５に装着し、２０万枚の耐久試験および画像評価を行った結果、２０万枚後の電位において、安定した電位が得られ、２０万枚耐久後も画像が鮮明であり、トナー融着やキズ等による画像汚染は発生せず、感光体の膜厚減少量は実施例１で１．５μｍ、実施例７、８で２μｍ以内と良好であったこと（５頁右下欄〜８頁左下欄）、
（１１ｄ）比較例４には、実施例１と同様に作製した感光体であって、電荷輸送層にヒドラゾン化合物を含有させ、滑剤を含有させないものを作製したこと、実施例１〜８の感光体と比較し、膜厚減少量が大きいため耐久性が低下したこと、耐久５万枚程度で膜厚減少量５μｍであったこと（７頁左上欄下から４行〜右上欄１２行、表３）、
が記載されている。
　
　刊行物１２には、
（１２ａ）「（１）少なくとも感光層の表面に、潤滑剤および酸化電位０．６Ｖ以上の電荷輸送物質を含むことを特徴とする電子写真感光体。
（２）該潤滑剤がフッ素系樹脂粉体である特許請求の範囲第１項記載の電子写真感光体。
（３）該感光層が電荷発生層と電荷輸送層の積層構造を有する特許請求の範囲第１項記載の電子写真感光体。・・・
（５）潤滑剤を含有する感光層において、前記潤滑剤の含有率が１〜５０重量％である特許請求の範囲第１項記載の電子写真感光体。」（特許請求の範囲）、
（１２ｂ）「本発明の目的は摺擦による表面の摩耗やひっかき傷の発生などに対して耐久性を有し、画像ボケのない高品位の画像が得られる高耐久性を有する電子写真感光体を提供することにある。」（２頁右上欄５〜９行）、
（１２ｃ）実施例１〜４には、アルミニウムシリンダ上に下引き層、電荷発生層、電荷輸送層を積層する感光体において、電荷輸送層に、フッ素系樹脂粉体であるポリ四フッ化エチレン粉体（実施例１、３、４）、ポリフッ化ビニリデン粉末（実施例２）を含有させたこと、これらの電子写真感光体について、本件明細書の記載と全く同じ画像評価、耐久評価を行った結果、２０万枚の耐久後も画像ボケは発生せず、高品質のコピーが得られ、感光体膜厚減少量は１．５μｍ（実施例１，２）程度であり、高温高湿中での１万枚の耐久でも画像流れが全く発生せず、高品質の画像が得られたこと（４頁左上欄〜７頁右上欄）、
（１２ｄ）「本発明における潤滑剤添加の効果は前記の様に表面の摩耗や傷などの機械的耐久性向上と各種付着物に対する離型性を付与することである。」（７頁右上欄１５〜１７行）、
が記載されている。
　
　刊行物１３には、
（１３ａ）電子写真装置の電子写真感光体、及び帯電手段、現像手段及びクリーニング手段などの構成要素のうち、複数のものを装置ユニットとして一体に結合して構成し、このユニットを装置本体に対して着脱自在に構成すること（【請求項７】、【００７０】）が記載されている。
　
５−２　対比・判断
（１）本件発明１について
　刊行物３ないし９には、導電性支持体上に感光層を有する電子写真感光体において、該感光層の表面層に本件発明１の構造式（１）で示される化合物及び構造式（２）で示される化合物を含有する電子写真感光体の発明が記載されている。
　本件発明１と刊行物３ないし９に記載された発明とを対比すると、本件発明１は、感光層の表面層に潤滑剤を含有し、かつ該潤滑剤がフッ素系樹脂であるのに対し、刊行物３ないし９に記載された発明は、感光層の表面層に潤滑剤を含有していない点で相違する。
　上記相違点について検討する。
　刊行物１、２には、本件発明１の構造式（１）で示される化合物又は構造式（２）で示される化合物を含有する電子写真感光体において、感光体表面にフッ素系樹脂を含有させることにより表面の摩擦抵抗が低減することが記載されている。
　また、耐摩耗性向上、キズ防止及びトナーの付着防止のために、表面層である電荷輸送層中にフッ素系樹脂の粉体を含有させることは、刊行物１０〜１２に示されるとおり、当該分野において広く知られた事項である。
　そして、感光体の耐摩耗性の向上、トナーの付着防止は周知の課題であるから、刊行物３ないし９記載の発明において、耐摩耗性向上を目的として、電子写真感光体の表面層にフッ素系樹脂粉体を含有させることは、当業者が容易に想到することである。
　次に本件発明１の作用効果について検討する。
　本件発明１の作用効果として、本件明細書には、表面の摩擦や傷等による機械的耐久性向上とクリーニング性が良好でトナー付着がなく、画像ボケ、地カブリのない高品位の画像を継続的に形成することが記載されているが、刊行物３〜５、９には、構造式（１）で示される化合物及び構造式（２）で示される化合物を含有する電子写真感光体は、繰り返し使用しても画像濃度の低下やカブリが少なく、表面電位の変化も少ないことが記載されており（３ｃ、４ｃ、５ｃ、９ｂ）、さらに、刊行物９の比較例には、構造式（１）で示される化合物及び構造式（２）で示される化合物を含有する電子写真感光体（比較例３）の膜厚減少量は１００００枚当たり８．４μｍであるのに対し、構造式（１）で示される化合物のみを含有する電子写真感光体（比較例１）の膜厚減少量は４５００枚当たり５．０μｍであることが記載され、構造式（１）で示される化合物及び構造式（２）で示される化合物を併用すると、優れた耐摩耗性が得られることが示されている。また、刊行物１、２、１０〜１２には、表面層にフッ素系樹脂やフッ素系樹脂粉体を含有させると機械的耐久性が得られると共に離型性が向上し、繰り返し使用後も高品位の画像が得られることが記載されているから（１ｅ、２ｃ、１０ｂ、１０ｄ、１１ｃ、１２ｃ、１２ｄ）、本件発明１の感光体が、機械的耐久性を有し、繰り返し使用後も高品位の画像を得られることは、刊行物１ないし刊行物１２に記載された発明から容易に予測することができる。
　なお、本件明細書には、感光体の機械的耐久性を感光体の膜厚減少量を測定して評価しているが、刊行物９には上記のとおり耐摩耗性を膜厚減少量を測定して評価することが示され、刊行物１１、１２にも、フッ素樹脂粉体を含有する電荷輸送層（表面層）の耐摩耗性を膜厚減少量を測定して評価することが示され（１１ｂ、１１ｃ、１２ｃ）、表面層にフッ素樹脂粉体を含有する感光体は膜厚減少量が少ないことが記載されているのであるから、本件発明１の組み合わせにおいても膜厚減少量を測定して耐摩耗性を評価することは当然に想定されることであり、電荷輸送層に、フッ素系樹脂粉末と共に、構造式（１）及び（２）の化合物を併用する感光体の膜厚減少防止効果が優れているとしても、そのような効果は、上記のとおり、当業者が容易に想到しうるフッ素系樹脂粉末と共に、構造式（１）及び（２）の化合物を併用する感光体について、膜厚減少量を測定して確認したにすぎない。
　したがって、本件発明１は、刊行物１ないし刊行物１２に記載された発明に基いて当業者が容易に発明をすることができたものである。
　
（２）本件発明２について
　本件発明２は、本件発明１において、潤滑剤の配合割合を限定したものであるが、感光層の潤滑剤として、フッ素系樹脂を１〜５０％の範囲で用いることは、刊行物１０ないし１２（１０ａ、１１ａ、１２ａ）に記載されており、本件発明２は、本件発明１と同様の理由により、刊行物１ないし１２に記載された発明に基づいて当業者が容易に発明をすることができたものである。　
　
（３）本件発明３について
　本件発明３は、本件発明１または２において、感光層が電荷発生層と電荷輸送層との積層構造を有するものであることを限定したものであるが、刊行物１ないし１２には、感光体を、電荷発生層と電荷輸送層との積層構造を用いて構成することが記載されており、本件発明３は、本件発明１または２と同様の理由により、刊行物１ないし１２に記載された発明に基づいて当業者が容易に発明をすることができたものである。
　
（４）本件発明４について
　本件発明４は、本件発明１〜３のいずれかに記載の電子写真感光体を備えた電子写真装置であるが、刊行物１ないし１２には、感光体を備えた電子写真装置が記載されており、本件発明４は、本件発明１〜３について述べたのと同様の理由により、刊行物１ないし１２に記載された発明に基づいて当業者が容易に発明をすることができたものである。
　
（５）本件発明５について
　電子写真装置における感光体を、他の作用機構と共に装置ユニットとすることは刊行物１３に記載されているとおり、本件出願前公知であり、本件発明１〜３の感光体を装置ユニット化することは、刊行物１３に記載された発明に基づいて当業者が容易になしうることである。
　したがって、本件発明５は刊行物１ないし１３に記載された発明に基づいて当業者が容易に発明をすることができたものである。
　
５−３まとめ
　以上のとおり、本件発明１ないし５は、本件出願前に頒布された刊行物１ないし１３に記載された発明に基づいて当業者が容易に発明をすることができたものと認められるから、特許法第２９条第２項の規定により特許を受けることができないものである。
　
６．むすび
　よって、本件の請求項１ないし５に係る特許は、拒絶の査定をしなければならない特許出願に対して付与されたものであるから、特許法の一部を改正する法律（平成６年法律第１１６号）附則第１４条の規定に基づく、特許法の一部を改正する法律の施行に伴う経過措置を定める政令（平成７年政令第２０５号）第４条第１項及び第２項の規定により、上記のとおり決定する。
【異議決定日】
平成１６年１２月１６日（２００４．１２．１６）
【訂正の要旨】
審決（決定）の【理由】欄参照。
（５４）【発明の名称】
電子写真感光体、該電子写真感光体を備えた電子写真装置及び装置ユニット
（５７）【特許請求の範囲】
　【請求項１】　導電性支持体上に感光層を有する電子写真感光体において、
該感光層の表面層に潤滑剤を含有し、かつ、下記
構造
構造
し、
該潤滑剤がフッ素系樹脂粉体であ
ことを特徴とする電子写真感光体。
構造
　
【化１】
構造
　
【化２】
　【請求項
２
１に
　【請求項
３
または２
　【請求項
４
３
。
　【請求項
５
３
【発明の詳細な説明】
　【０００１】
　【産業上の利用分野】
　本発明は、電子写真感光体及び該電子写真感光体を備えた電子写真装置に関する。
　【０００２】
　【従来の技術】
　電子写真感光体は、近年、種々の電子写真感光体の開発が進み、複写機やプリンタ−に搭載されている。しかしながら、これ等の電子写真感光体は一般的に耐久性が低いことが一つの大きな欠点であるとされてきた。耐久性としては、感度、残留電位、帯電能、画像ボケ、地カブリ等の電子写真特性の耐久性及び摺擦による感光体表面の摩耗やひっかき傷等の機械的耐久性に大別されるが、特に機械的耐久性に劣ることが感光体の寿命を決定する大きな要因となっており、より機械的耐久性の優れた電子写真感光体の開発が望まれている。また、電子写真感光体の表面層は特に高湿下、コロナ帯電時に生ずるオゾンによって生成する低抵抗物質の付着あるいはトナ−のクリ−ニング不良に基づくフィルミング、融着、低分子である電荷輸送物質の析出等による画像劣化を引き起こす要因を持っており、そのため前記の機械的耐久性と共に、各種の付着物に対する離型性も求められている。そして、かかる要求のために、即ち摩耗やひっかき傷に対する機械的耐久性を向上し、更に離型性、撥水性も加え、トナ−融着等を防止するために、潤滑剤を感光体表面層に分散させると有効であることは公知である。
　【０００３】
　一方、感光体表面はコロナ帯電時発生するオゾンにより常に劣化作用を受けており、高品位の画像を得るためには感光体表面を研摩して常に新しい面を出す必要がある。特に、この研摩作用が不十分であると耐久につれ画像がつぶれ、文字が判読できない、いわゆる画像ボケが起きてくる。従来の電子写真感光体は、機械的耐久性が劣る結果、耐久と共に感光体表面が適度に削れ、常に新しい面が現れるため画像ボケがほとんど問題にならなかった。しかしながら、前記潤滑剤を分散させた感光体においては、機械的耐久性が向上した結果、感光体表面の削れ量が著しく減少するため、劣化した表面層が削られず、耐久につれ画像ボケが発生し、高耐久の感光体の実用化が難しいのが現状であった。
　【０００４】
　逆に、上記研摩作用が十分すぎると、表面層が電荷輸送層である場合は、特に削られることにより、帯電能の低下、暗減衰の増大、残留電位の上昇等、電位が不安定となり、感度が低下し、コントラスト電位が十分に取れなくなり、耐久につれ、画像上に地カブリが発生するという問題があり、削れと潤滑性をコントロ−ルすることは極めて難しいのが現状であった。
　【０００５】
　【発明が解決しようとする課題】
　本発明の目的は、摺擦による表面の摩耗やひっかき傷の発生等に対して耐久性を有し、かつ、画像ボケのない高品位の画像が得られる高耐久性を有する電子写真感光体を提供すること、クリ−ニング性が良好で感光体表面層へのトナ−付着のない高耐久性を有する電子写真感光体を提供すること、繰り返し電子写真プロセスにおいて帯電能の低下や感度低下、残留電位の蓄積がなく、画像ボケ、地カブリのない常に高品位の画像が得られる高耐久性を有する電子写真感光体を提供することである。また、該電子写真感光体を備えた電子写真装置を提供することである。
　【０００６】
　【課題を解決するための手段】
　本発明は、導電性支持体上に感光層を有する電子写真感光体において、該感光層の表面層に潤滑剤を含有し、かつ、下記
構造
構造
構造
　
【化３】
構造
　
【化４】
　【０００７】
　本発明の電子写真感光体は、潤滑剤と前記
構造
構造
融着
　【０００８】
　本発明において用い
る潤
、フ
である
　【０００９】
　フッ素系樹脂粉体としては、例えば四フッ化エチレン樹脂粉体、三フッ化塩化エチレン樹脂粉体、六フッ化エチレンプロピレン樹脂粉体、フッ化ビニル樹脂粉体、フッ化ビニリデン樹脂粉体、フッ化二塩化エチレン樹脂粉体及びこれ等の共重合体等が挙げられ、これ等の中から一種あるいはそれ以上が適宜選択されるが、特に四フッ化エチレン樹脂粉体フッ化ビニリデン樹脂粉体が好ましい。
　【００１０】
　樹脂の分子量や粉体の粒径は適宜選択することができるが、粒径に関しては、特には０．１〜１０μｍが好ましい。これ等の潤滑剤を均一に分散するため分散剤を樹脂に添加してもよい。
　【００１１】
　潤滑剤を分散させた感光層を形成する際に、成膜できないような低分子量の電荷輸送物質を用いる場合には、成膜性を有する樹脂をバインダ−として用いる。バインダ−樹脂は単独でもある程度の硬さを有すること、キャリヤ−輸送を妨害しないこと等の点から、ビスフェノ−ル型Ａポリカ−ボネ−ト、ビスフェノ−ルＺ型ポリカ−ボネ−ト等のポリカ−ボネ−ト樹脂が好ましく、特にビスフェノ−ルＺ型ポリカ−ボネ−トが好ましい。
　【００１２】
　バインダ−樹脂の重量平均分子量は塗工性を考慮すると２万〜１５万が最適である。
　【００１３】
　バインダ−樹脂中に分散される潤滑剤の含有率は表面改質効果、光透過性、キャリア移動性等の点から、潤滑剤が含まれている感光層の重量分率で１〜５０重量％が適当であり、特に、２〜１５重量％が好ましい。
　【００１４】
　本発明の電子写真感光体の感光層は、電荷発生物質と電荷輸送物質を同一の層に含有する、いわゆる単一層型及び電荷発生物質を含有する電荷発生層と電荷輸送物質を含有する電荷輸送層を有する、いわゆる積層型に大別される。積層型は、更に、導電性支持体、電荷発生層及び電荷輸送層をこの順に有するタイプと導電性支持体、電荷輸送層及び電荷発生層をこの順に有するタイプに分けられる。本発明の電子写真感光体は、積層型、特に電荷発生層の上に電荷輸送層を積層したタイプであることが好ましい。
　【００１５】
　本発明の電子写真感光体を製造する場合、導電性支持体としては、アルミニウム、アルミニウム合金、銅、亜鉛、ステンレス、チタン、ニッケル、インジウム、金及び白金等が挙げられる。また、これ等金属や合金を真空蒸着法によって被膜形成したプラスチック（例えばポリエチレン、ポリプロピレン、ポリ塩化ビニル、ポリエチレンテレフタレ−ト及びアクリル樹脂等）や導電性粒子を適当なバインダ−樹脂と共に上記のようなプラスチック、金属または合金支持体上に被覆した支持体あるいは導電性粒子をプラスチックや紙に含浸した支持体等を用いることができる。支持体の形状としてはドラム状及びベルト状等が挙げられるが、適用される電子写真感光体に最も適した形状にすることが好ましい。
　【００１６】
　導電性粒子としては、粒子自体が導電性を有するもの、例えば金属粉体（例えばアルミニウム、銅、ニッケル及び銀等）、金属単繊維、カ−ボンファイバ−、導電性粉体（例えばカ−ボンブラック、チタンブラック、グラファイト、金属酸化物及び金属硫化物としての酸化アンチモン、酸化インジウム、酸化スズ、酸化チタン、酸化亜鉛、チタン酸カリウム、チタン酸バリウム、チタン酸マグネシウム、硫酸バリウム、硫化亜鉛、硫化銅、酸化マグネシウム及び酸化アルミニウム等、及びこれ等の金属酸化物や金属硫化物を導電性物質で表面処理したもの、シランカップリング剤やチタンカップリング剤で表面処理したもの及び還元処理したもの）等が挙げられる。
　【００１７】
　上記導電性支持体と感光層の中間にバリア−機能と接着機能を有する下引き層を設けることもできる。下引き層は、カゼイン、ポリビニルアルコ−ル、ニトロセルロ−ス、エチレン−アクリル酸コポリマ−、ポリビニルブチラ−ル、フェノ−ル樹脂、ポリアミド（ナイロン６、ナイロン６６、ナイロン６１０、共重合ナイロンアルコキシメチル化ナイロン等）、ポリウレタン、ゼラチン、酸化アルミニウム、ポリアミド酸、ポリイミド等によって形成することができる。下引き層の膜厚は０．１〜５０μｍ、好ましくは０．３〜２０μｍが適当である。
　【００１８】
　電荷発生層は、モノアゾ、ジスアゾ及びトリスアゾ等のアゾ顔料、金属フタロシアニン及び無金属フタロシアニン等のフタロシアニン系顔料、インジゴ及びチオインジゴ等のインジゴ系顔料、アントロン及びピレンキノン等の多環キノン系顔料、ペリレン酸無水物及びペリレン酸イミド等のペリレン系顔料、スクワリリウム系色素、ピリリウム及びチアピリリウム塩類またはトリフェニルメタン系色素等の電荷発生物質を、適当な溶剤を用いてバインダ−樹脂、例えばポリビニルアセタ−ル、ポリスチレン、ポリエステル、ポリ酢酸ビニル、メタクリル樹脂、アクリル樹脂、ポリビニルピロリドンまたはセルロ−ス系樹脂等の樹脂中に分散させた溶液を塗布し、乾燥することによって形成することができる。電荷発生層の膜厚は５μｍ以下、特には０．０５〜２μｍが好ましい。
　【００１９】
　電荷輸送層は、成膜性を有する樹脂の溶液に、前記
構造
構造
　【００２０】
　電荷輸送層が表面層とならない場合（保護層等がある場合を含む）、成膜性を有する樹脂としてポリエステル、ポリカ−ボネ−ト、ポリメタクリル酸エステル及びポリスチレン等が挙げられる。
　【００２１】
　電荷輸送層の膜厚は５〜４０μｍ、特には１０〜３０μｍが好ましい。
　【００２２】
　単一層型の場合には、前記電荷発生物質、電荷輸送物質と潤滑剤を分散及び溶解させた溶液を導電性支持体上に塗布し、乾燥することによって形成することができる。
　【００２３】
　また、ポリビニルカルバゾ−ル、ポリビニルアントラセン等の有機光導電性ポリマ−層、前述した電荷発生物質の蒸着層、セレン蒸着層、セレン−テルル蒸着層、アモルファスシリコン層等も感光層として用いることができる。
　【００２４】
　単一層型の場合、感光層の膜厚は５〜４０μｍ、特には１０〜３０μｍが好ましい。
　【００２５】
　上述した各種層の塗布方法としては、浸漬コ−ティング法、スプレ−コ−ティング法、スピンナ−コ−ティング法、ビ−ムコ−ティング法、マイヤ−バ−コ−ティング法、ロ−ラ−コ−ティング法及びブレ−ドコーティング法等が挙げられる。
　【００２６】
　また、前記感光層の上に、更に、耐久性、環境安定性を向上させる目的で前記潤滑剤を含有する保護層を設けることもできる。保護層の膜厚は０．２〜１０μｍ、特には０．６〜６μｍが適当である。保護層に用いる樹脂としてはポリカ−ボネ−ト、ポリエステル、ポリアリレ−ト、ポリスチレン、ポリウレタン、アクリル樹脂、エポキシ樹脂、シリコ−ン樹脂、セルロ−ス樹脂、ポリ塩化ビニル、ホスファゼン樹脂、メラミン樹脂、ポリアミド、ポリイミド及び塩化ビニル−酢酸ビニル共重合体等が挙げられる。これ等の樹脂は単独で用いることも、２種以上を組み合わせて用いることもできる。また、塗工後重合させる場合は重合開始剤を含んでいてもよい。また、抵抗をコントロ−ルする意味で保護層に導電性粒子を含んでいてもよく、必要に応じて表面処理したものでもよい。導電性粒子としては金属、金属酸化物、カ−ボンブラック等が挙げられる。表面処理剤としてはシランカップリング剤、シリコ−ンオイル、界面活性剤等が挙げられる。金属としてはアルミニウム、亜鉛、銅、クロム、ニッケル、ステンレス、銀等、またはこれ等の金属をプラスチックの粒子の表面に蒸着したもの等が挙げられる。これ等は単独で用いることも２種以上を組み合わせて用いることもできる。２種以上を組み合わせて用いる場合は、単に混合しても、固溶体や融着の形にしてもよい。また、必要に応じて前記電荷輸送物質を添加してもよい。保護層は、前記の方法の他にビーム塗工、真空蒸着等を利用することができる。
　【００２７】
　本発明の電子写真感光体は、複写機、レ−ザ−プリンタ−、ＬＥＤプリンタ−、液晶シャッタ−式プリンタ−等の電子写真装置一般に適応し得るが、更に、電子写真技術を応用したディスプレ−、記録、軽印刷、製版及びファクシミリ等の装置にも幅広く適用し得るものである。
　【００２８】
　また、本発明は前記本発明の電子写真感光体を備えた電子写真装置及び装置ユニットから構成される。
　【００２９】
　図１に本発明のドラム型感光体を用いた一般的な転写式電子写真装置の概略構成を示した。図において、１は像担持体としてのドラム型感光体であり軸１ａを中心に矢印方向に所定の周速度で回転駆動される。該感光体１はその回転過程で帯電手段２によりその周面に正または負の所定電位の均一帯電を受け、次いで露光部３にて不図示の像露光手段により光像露光Ｌ（スリット露光・レ−ザ−ビ−ム走査露光など）を受ける。これにより感光体周面に露光像に対応した静電潜像が順次形成されていく。その静電潜像は、次いで現像手段４でトナ−現像され、そのトナ−現像像が転写手段５により不図示の給紙部から感光体１と転写手段５との間に感光体１の回転と同期取りされて給送された転写材Ｐの面に順次転写されていく。像転写を受けた転写材Ｐは感光体面から分離されて像定着手段８へ導入されて像定着を受けて複写物（コピ−）として機外へプリントアウトされる。像転写後の感光体１の表面はクリ−ニング手段６にて転写残りトナ−の除去を受けて清浄面化され、前露光手段７により除電処理がされて繰り返して像形成に使用される。感光体１の均一帯電手段２としてはコロナ帯電装置が一般に広く使用されている。また、転写装置５もコロナ転写手段が一般に広く使用されている。電子写真装置として、上述の感光体や現像手段、クリ−ニング手段などの構成要素のうち、複数のものを装置ユニットとして一体に結合して構成し、このユニットを装置本体に対して着脱自在に構成しても良い。例えば、感光体１とクリ−ニング手段６とを一体化してひとつの装置ユニットとし、装置本体のレ−ルなどの案内手段を用いて着脱自在の構成にしてもよい。このとき、上記の装置ユニットのほうに帯電手段および／または現像手段を伴って構成してもよい。また、光像露光Ｌは、電子写真装置を複写機やプリンタ−として使用する場合には、原稿からの反射光や透過光を用いる、あるいは、原稿を読み取り信号化に従って、この信号によりレ−ザ−ビ−ムの走査、発光ダイオ−ドアレイの駆動、または液晶シャッタ−アレイの駆動などを行うことにより行われる。
　【００３０】
　【実施例】
　比較例１
　アルミニウムシリンダーを導電性支持体とし、これに、ポリアミド樹脂（商品名アミランＣＭ−８０００、東レ（株）製）の５％メタノール溶液を浸漬コーティング法で塗布し、９０℃で１０分間乾燥することによって、膜厚０．４５μｍの下引き層を形成した。
　【００３１】
　次に、下記のジスアゾ顔料
　【化
５
５部にテトラヒドロフラン９０部を加え、サンドミルで２２時間分散した。この液にブチラ−ル樹脂（商品名ＢＬＳ、積水化学工業（株）製）２．５部をテトラヒドロフラン２０部に溶解した液を加え、更に３時間分散した。この分散液にシクロヘキサノン９５部及びテトラヒドロフラン１０５部を加えて希釈した液を、先に形成した下引き層上に塗布し、８０℃で１０分間乾燥し、膜厚０．１５μｍの電荷発生層を形成した。
　【００３２】
　次に、ポリカーボネート（重量平均分子量５５，０００、帝人化成（株）製）２０部と下記構造式の電荷輸送物質
　【化
６
２０部をクロロベンゼン１００部に溶解し、これに潤滑剤であるフッ素樹脂粉体としてポリ四フッ化エチレン粉体（商品名ルブロンＬ−２、ダイキン工業（株）製）６部を加えてステンレス製ボールミルで５０時間分散し、更にジクロロエタン２０部を加えて電荷輸送層用塗布液を調製し、この液を先に形成した電荷発声層上に塗布し、１００℃で９０分間熱風乾燥し、膜厚２０μｍの電荷輸送層を形成した。作成した電子写真感光体を比較感光体１とする。
　【００３３】
　比較感光体１をブレード侵入量（ブレードが感光体に押し当たって曲がる長さ）１．０ｍｍ、スポンジローラー相対速度１０６％になるように改造した複写機（商品名ＮＰ−３５２５、キヤノン（株）製）に装着し、画像評価、耐久性評価を行った。
　【００３４】
　比較感光体１は２０万枚の耐久後も画像ボケ、地カブリは発生せず、高画質のコピーが得られた。また、この時の感光体膜厚減少量は１．８μｍであった。
　【００３５】
　更に、比較感光体１を高湿高温（３２．５℃、９０％ＲＨ）中にて１万枚の耐久を行ったが画像流れは全く発生せず、高品位の画像が得られた。
　【００３６】
　比較例
２、
１
　電荷輸送物質と潤滑剤を表
１
２、
１と
２
　【００３７】
　
【表１】
　【００３８】
　
【表２】
　【００３９】
　比較例
３
　【００４０】
　実施例１においてポリ四フッ化エチレン粉体を用いない他は、実施例１と同様にして電子写真感光体を作成し、比較感光体
３
　【００４１】
　比較感光体
３
、１
　【００４２】
　【発明の効果】
　本発明の電子写真感光体は、感光体の表面層に
フッ素系樹脂粉体
【図面の簡単な説明】
　【図１】
　本発明の電子写真感光体を備えた電子写真装置の概略構成例を示す図である。
　【符号の説明】
　１　本発明の電子写真感光体
　１ａ　軸
　２　帯電手段
　３　露光部
　４　現像手段
　５　転写手段
　６　クリ−ニング手段
　７　前露光手段
　８　像定着手段
　Ｌ　光像露光
　Ｐ　像転写を受けた転写材